(57)【特許請求の範囲】
【請求項１】
戸先側開閉体と中間開閉体と戸尻側開閉体を、面外方向に間隔を置いて面内方向に開閉移動自在に備え、各開閉体が閉じ位置の時に、戸先側開閉体が最も閉じ側位置で、戸尻側開閉体が最も開き側位置で、中間開閉体が閉じ側と開き側の中間位置となると共に、前記各開閉体が開き位置の時には各開閉体が開き側において面外方向に重なり合うようにした引き戸タイプの建具であって、
前記中間開閉体と戸尻側開閉体に無端状索条を面内方向に回転可能にそれぞれ設け、
この中間開閉体に設けた第１の無端状索条を、第１の連結手段で戸先側開閉体に、その戸先側開閉体が開閉移動すると第１の無端状索条が回転するように連結し、かつ第２の連結手段で戸尻側開閉体に、その戸尻側開閉体が開閉移動しなければ第１の無端状索条が回転できないように連結し、
前記戸尻側開閉体に設けた第２の無端状索条を、第３の連結手段で前記中間開閉体に、その中間開閉体が開閉移動すると第２の無端状索条が回転するように連結し、かつ第４の連結手段で固定部に、その戸尻側開閉体が開閉移動しなければ第２の無端状索条が回転できないように連結し、
前記戸先側開閉体が開閉移動することで中間開閉体、戸尻側開閉体が連動して開閉移動するようにし、
前記連結手段は、無端状索条に取付けた可動部材と、開閉体、固定部に取付けた受部材を備え、
前記受部材は、可動部材と連結する連結位置と可動部材と離れた連結解除位置とに亘って移動自在で、開閉体を装着した状態で受部材を連結位置に移動して可動部材に、可動部材と受部材を開閉体移動方向に相対的に動かないように連結できるようにしたことを特徴とする建具。
【請求項２】
中間開閉体を複数設けると共に、その各中間開閉体に無端状索条を面内方向に回転可能にそれぞれ設け、
最も戸先側開閉体寄りの第１の中間開閉体に設けた無端状索条を連結手段で戸先側開閉体に連結し、かつ連結手段で隣接した中間開閉体に連結し、
最も戸尻側開閉体寄りの第２の中間開閉体に設けた無端状索条を連結手段で隣接した中間開閉体、戸尻側開閉体にそれぞれ連結し、
前記第１・第２の中間開閉体間の中間開閉体に設けた無端状索条を連結手段で、隣接した一方の中間開閉体と、隣接した他方の中間開閉体にそれぞれ連結し、
戸先側開閉体を開閉移動することで複数の中間開閉体、戸尻側開閉体が連動して開閉移動するようにした請求項１記載の建具。
【請求項３】
開閉体の上部にフレームを取付け、このフレームに吊戸車を取付け、その吊戸車を上レールに走行自在に吊り下げ支承し、前記フレームに無端状索条を回転自在に取付けた請求項１又は２記載の建具。
【請求項４】
フレームに面内方向に亘るガイド部を設け、このガイド部に沿って可動部材を上下方向、面外方向に動くことなしに面内方向に移動自在に設け、この可動部材を無端状索条に連結した請求項３記載の建具。
【発明の詳細な説明】
【技術分野】
【０００１】
本発明は、複数の開閉体が連動して開閉移動する連動式引戸タイプの建具に関する。
【背景技術】
【０００２】
従来から連動式引戸タイプの建具が種々提案されている。
例えば、特許文献１に開示したように、第１・第２・第３扉を備え、第２扉に設けた一対のプーリに無端状ワイヤを巻き掛け、この無端状ワイヤを第１・第２連結部材で第１扉、第３扉に連結し、第１扉を開又は閉じ方向に移動することで第１連結部材が移動し、それによって無端状ワイヤが回転しながら第２扉が開又は閉じ方向に移動するようにした第１の引戸が提案されている。
また、特許文献２に開示したように、第１・第２・第３・第４戸板に、一対のプーリをそれぞれ取付け、これらのプーリに亘ってワイヤを巻き掛け、第１戸板を開移動することで第２・第３戸板が順次開閉移動するようにした第２の引戸が提案されている。
【特許文献１】特開平１０−２８０８０８号公報
【特許文献２】特許第３２３０８１０号公報
【発明の開示】
【発明が解決しようとする課題】
【０００３】
前述した第１の引戸においては、第３扉を開閉移動しないように保持する必要があるので、第１・第２扉が連動して開閉移動し、第３扉は開閉移動しないから、３つの扉を連動して開閉移動できない。
前述した第２の引戸においては、第１・第２・第３戸板が順次開閉移動するので、３つの戸板を連動して開閉移動できるが、各戸板に設けたプーリに亘ってワイヤを巻き掛ける作業が困難であり、建具の組立作業性が悪い。
【０００４】
本発明の目的は、扉、戸板、障子などの開閉体を３つ以上連動して開閉移動できると共に、組立作業性が良い建具とすることである。
【課題を解決するための手段】
【０００５】
本発明は、戸先側開閉体と中間開閉体と戸尻側開閉体を、面外方向に間隔を置いて面内方向に開閉移動自在に備え、各開閉体が閉じ位置の時に、戸先側開閉体が最も閉じ側位置で、戸尻側開閉体が最も開き側位置で、中間開閉体が閉じ側と開き側の中間位置となると共に、前記各開閉体が開き位置の時には各開閉体が開き側において面外方向に重なり合うようにした引き戸タイプの建具であって、
前記中間開閉体と戸尻側開閉体に無端状索条を面内方向に回転可能にそれぞれ設け、
この中間開閉体に設けた第１の無端状索条を、第１の連結手段で戸先側開閉体に、その戸先側開閉体が開閉移動すると第１の無端状索条が回転するように連結し、かつ第２の連結手段で戸尻側開閉体に、その戸尻側開閉体が開閉移動しなければ第１の無端状索条が回転できないように連結し、
前記戸尻側開閉体に設けた第２の無端状索条を、第３の連結手段で前記中間開閉体に、その中間開閉体が開閉移動すると第２の無端状索条が回転するように連結し、かつ第４の連結手段で固定部に、その戸尻側開閉体が開閉移動しなければ第２の無端状索条が回転できないように連結し、
前記戸先側開閉体が開閉移動することで中間開閉体、戸尻側開閉体が連動して開閉移動するようにし、
前記連結手段は、無端状索条に取付けた可動部材と、開閉体、固定部に取付けた受部材を備え、
前記受部材は、可動部材と連結する連結位置と可動部材と離れた連結解除位置とに亘って移動自在で、開閉体を装着した状態で受部材を連結位置に移動して可動部材に、可動部材と受部材を開閉体移動方向に相対的に動かないように連結できるようにしたことを特徴とする建具である。
【０００６】
本発明においては、中間開閉体を複数設けると共に、その各中間開閉体に無端状索条を面内方向に回転可能にそれぞれ設け、
最も戸先側開閉体寄りの第１の中間開閉体に設けた無端状索条を連結手段で戸先側開閉体に連結し、かつ連結手段で隣接した中間開閉体に連結し、
最も戸尻側開閉体寄りの第２の中間開閉体に設けた無端状索条を連結手段で隣接した中間開閉体、戸尻側開閉体にそれぞれ連結し、
前記第１・第２の中間開閉体間の中間開閉体に設けた無端状索条を連結手段で、隣接した一方の中間開閉体と、隣接した他方の中間開閉体にそれぞれ連結し、
戸先側開閉体を開閉移動することで複数の中間開閉体、戸尻側開閉体が連動して開閉移動するようにした建具とすることができる。
このようにすれば、中間開閉体の数と戸先側開閉体、戸尻側開閉体の和だけの開閉体を備えた建具とすることができるし、その各開閉体を連動して開閉移動できる。
【００１０】
本発明においては、開閉体の上部にフレームを取付け、このフレームに吊戸車を取付け、その吊戸車を上レールに走行自在に吊り下げ支承し、前記フレームに無端状索条を回転自在に取付けた建具とすることができる。
このようにすれば、フレームを開閉体に取付けることで無端状索条を開閉体に取付でき、開閉体の上部が凹凸の有る複雑形状であっても無端状索条を簡単に取付けできる。
【００１１】
本発明においては、フレームに面内方向に亘るガイド部を設け、このガイド部に沿って可動部材を上下方向、面外方向に動くことなしに面内方向に移動自在に設け、この可動部材を無端状索条に連結した建具とすることができる。
このようにすれば、可動部材は上下方向、面外方向に動くことなしにスムーズに面内方向に移動するので、開閉体を安定して開閉移動できる。
【発明の効果】
【００１２】
本発明によれば、戸先側開閉体を開閉移動することで中間開閉体、戸尻側開閉体が連動して開閉移動するので、３つ以上の開閉体を連動して開閉移動できる。
また、無端状索条を設けた中間開閉体、戸尻側開閉体を装着すると共に、その無端状索条と開閉体、固定部を連結手段で連結することで、開閉体を連動して開閉するように装着できるから、組立作業性が良い建具とすることができる。
また、開閉体を装着する時には受部材を連結解除位置として、その開閉体を装着した状態で無端状索条を回転しながら可動部材を移動して受部材と位置合わせし、その後に受部材を連結位置に移動して可動部材と受部材を連結できる。
したがって、開閉体を装着する時には可動部材と受部材が連結するように注意深く作業する必要がなく、開閉体の装着作業がやり易い。
【発明を実施するための最良の形態】
【００１３】
本発明の建具の概略を図１〜図３に基づいて説明する。
建具枠１の上部に複数の上レール２、下部には複数の下レール３が面外方向に間隔を置いてそれぞれ設けてある。例えば、４つの上レール２、下レール３が設けてある。
前記各上レール２と各下レール３に沿って開閉体、例えば扉４が開閉移動自在にそれぞれ装着してある。
これによって、４つの扉４を面外方向に間隔を置いて面内方向に開閉移動自在に備えた引戸タイプの建具としてある。
【００１４】
前記扉４の上部に設けらた吊戸車４ａを上レール２に走行自在に吊り下げると共に、扉４の下部に設けたガイド４ｂを下レール３に沿って摺動自在として扉４を面内方向に移動自在に吊り下げ支承し、吊り下げ型の引戸としてある。
前記扉４の装着の仕方は前述に限ることはない。例えば、扉４の下部に戸車を設け、その戸車を下レール３に沿って走行自在とし、扉４の上部を上レール２に沿って摺動自在に接するようにしても良い。
【００１５】
この実施の形態では、建具枠１は地面ａに立設してあるので、屋外に設置する建具である。
このために、建具枠１の上部に天板５を取付けてある。
これに限ることはなく、建具枠１は建物開口部に取付けるものとしても良い。
また、建具枠１が存在せずに上レール２と下レール３だけを備えた建具でも良い。例えば、室内の間仕切りとして用いる建具。
前述の開閉体は扉に限ることはなく、戸板、障子やパネル体、ガラス板などでも良い。
【００１６】
前記各扉４は図３に実線で示す閉じ位置と仮想線で示す開き位置とに亘って開閉移動する。
そして、各扉４が閉じ位置で閉鎖状態の時には１つの扉４が最も閉じ側位置（戸当り側位置）で、１つの扉４が最も開き側位置（戸尻側位置）で、残りの扉４が閉じ側と開き側の中間の位置となる。
前述の最も閉じ側位置となる扉を戸先側扉４１、最も開き側位置となる扉を戸尻側扉４４、残りの扉を第１・第２中間扉４２，４３とする。
前記各扉４が開き位置で開放状態の時に、前述の戸先側扉４１、第１・第２中間扉４２，４３、戸尻側扉４４が仮想線で示すように開き側において面外方向に重なり合うようにしてある。
【００１７】
この実施の形態では、戸先側扉４１が開閉移動操作され、各扉４が閉じ位置で閉鎖状態の時に、その戸尻側扉４４と建具枠１の閉じ側部との間に扉が存在しなくなるので、建具枠１にパネル体６を取付け、そのパネル体６で前述の扉が存在しない部分を閉塞している。
【００１８】
前記各扉４は、戸先側扉４１が開閉移動すると第１・第２中間扉４２、４３、戸尻側扉４４が開閉移動するように連動装置で連動してある。この連動装置は図１〜図３には図示していない。
【００１９】
次に、前記連動装置について説明する。
図４に示すように、第１・第２中間扉４２，４３と戸尻側扉４４とに無端状索条１０が開閉移動方向（面内方向）に回転可能にそれぞれ設けてある。
例えば、扉４の開閉方向両側部、つまり面内方向両側部に一対のプーリ１１をそれぞれ回転可能に取付け、その一対のプーリ１１に無端状索条１０としてワイヤを巻き掛けてある。
前記第１中間扉４２に設けた無端状索条１０は、第１連結手段１２で戸先側扉４１に連結され、その戸先側扉４１の開閉移動で無端状索条１０が回転するようにしてある。
前記第１中間扉４２に設けた無端状索条１０は第２連結手段１３で第２中間扉４３に連結され、第２中間扉４３が開閉移動しなければその無端状索条１０が回転できないようにしてある。
前記無端状索条１０は、第１連結手段１２で戸先側扉４１の移動方向（面内方向）における開き側寄り位置に連結され、かつ第２連結手段１３で第２中間扉４３における移動方向（面内方向）における閉じ側寄り位置に連結されている。
【００２０】
前記第２中間扉４３に設けた無端状索条１０は、第３連結手段１４で第１中間扉４２に、その第１中間扉４２が開閉移動すると回転するように連結され、かつ第４連結手段１５で戸尻側扉４４に、その戸尻側扉４４が開閉移動しなければ回転しないように連結してある。
前記無端状索条１０は、第３連結手段１４で第１中間扉４２における移動方向（面内方向）における開き側寄り位置に連結され、かつ第４連結手段１５で戸尻側扉４４の移動方向（面内方向）における閉じ側寄り位置に連結されている。
【００２１】
前記戸尻側扉４４に設けた無端状索条１０は、第５連結手段１６で第２中間扉４３に、その第２中間扉４３が開閉移動すると回転するように連結され、かつ第６連結手段１７で固定部、例えば建具枠１に、その戸尻側扉４４が開閉移動しなければ回転しないように連結してある。
前記無端状索条１０は、第５連結手段１６で第２中間扉４３の移動方向（面内方向）における開き側寄り位置に連結されている。
なお、前記各無端状索条１０の扉への連結位置は、前述の各位置に限ることはなく、任意の位置とすることができる。
【００２２】
前記第１〜第６連結手段１２〜１７は、無端状索条１０に取付けた可動部材２０と扉、固定部に取付けた受部材３０を備え、その可動部材２０と受部材３０を扉開閉方向に相対的に動かないように連結したものである。
【００２３】
次に、扉４の開閉動作を説明する。
図５（ａ）に示す開放状態では戸尻側扉４４が開き側ストロークエンドで、それ以上開き側に移動できない。
図５（ａ）に示す開放状態から戸先側扉４１を図５（ｂ）に示すように閉じ側に向けて距離Ｌ１移動すると、第１・第２中間扉４２，４３、戸尻側扉４４が閉じ側に移動し、最終的には図５（ｂ）に示すように第１中間扉４２が戸先側扉４１の移動距離の３／４移動し、第２中間扉４３が２／４移動し、戸尻側扉４４は１／４移動する。
【００２４】
そして、戸先側扉４１を図３で実線で示す閉じストロークエンドまで移動することで第１・第２中間扉４２，４３、戸尻側扉４４は図３で実線で示す閉じ位置にそれぞれ移動して閉じ状態となる。
【００２５】
図３で実線で示す閉じ状態から、戸先側扉４１を開き側に移動することで、第１・第２中間扉４２，４３、戸尻側扉４４が前述と同様に開き側に移動し、図３に仮想線で開き状態となる。
【００２６】
このようであるから、４つの扉を連動して開閉移動できる。
また、第１・第２中間扉４２，４３と戸尻側扉４４に無端状索条１０を設けると共に、その各索条１０を隣接した扉、固定部に連結手段で連結した構成であるから、各扉を建具枠１に装着した後に各扉を連動状態とするために面倒な作業が不要で、組立作業性が良い。
【００２７】
この実施の形態では、連結手段を、無端状索条１０に取付けた可動部材２０と、扉、固定部に取付けた受部材３０を備え、その可動部材２０と固定部材３０を扉移動方向（面内方向）に相対的に動かないように連結したものとし、可動部材２０、受部材３０をあらかじめ取付け、扉を装着した後に可動部材２０と受部材３０を連結できるようにしてあるので、組立作業性がより一層良い。
【００２８】
前述の実施の形態では、４つの扉を連動して開閉移動するようにしたが、５つ以上の扉を連動して開閉移動することもできるし、３つの扉を連動して開閉移動することもできる。
つまり、中間扉を１つとすれば３つの扉を連動して開閉移動できるし、中間扉を３つ、４つとすれば５つ、６つの扉を連動して開閉移動できる。
要するに、開閉移動される戸先側扉と、戸尻側扉と、この戸先側扉と戸尻側扉との間の中間扉を備え、その中間扉の数によって全体の扉の数が決定される。
【００２９】
次に、連動装置の詳細を図６〜図８に基づいて説明する。
前記第１・第２中間扉４２，４３と戸尻側扉４４の上部にフレーム４０が、面内方向全長に亘ってそれぞれ取付けてある。
前記フレーム４０は幅寸法（面外方向の寸法）が小さく、長手方向寸法（面内方向寸法）が大きい幅狭で長尺形状で、その幅方向両端部に長手方向全長に亘るガイド部４０ａ，４０ａを有している。
前記フレーム４０の長手方向両端部にプーリ１１が縦軸回りに回転自在に取付けてあり、その各プーリ１１に無端状索条１０（ワイヤロープ）が巻き掛けてある。
【００３０】
このようであるから、フレーム４０を扉４の上部に取付けることで無端状索条１０を取付けでき、その扉４の上部が凹凸で複雑形状であっても無端状索条１０を簡単に取付けできる。
例えば、各扉４は上框４ａと縦框４ｂと下框４ｃを連結した框組体を備え、その上框４ａの上面と縦框４ｂの上面で扉４の上面を形成するが、その上框４ａ、縦框４ｂの上面は凹凸がある複雑形状で、その上面に無端状索条１０を設けるのは困難であるが、前述のようにフレーム４０を取付けるのは容易である。
【００３１】
この無端状索条１０に一対の可動部材２０が連結され、その各可動部材２０は前記各ガイド４０ａに沿って長手方向に摺動自在で、かつ上下方向、面外方向には動くことがないように支承される。
このようであるから、無端状索条１０の回転によって可動部材２０はガイド部４０ａに沿って上下方向や面外方向に動くことなしに、スムーズに長手方向に移動し、扉４を安定して開閉移動できる。
【００３２】
前記各扉、固定部（建具枠１）に取付けた固定部材３０と前記可動部材２０は、上下方向及び面外方向（扉移動方向と直角方向）に相対的に移動可能で、かつ面内方向（扉移動方向）には相対的に動かないように嵌まり合って連結されている。
このようであるから、可動部材２０をあらかじめ無端状索条１０に取付けると共に、固定部材３０を扉４、固定部にあらかじめ取付けた状態で、可動部材２０と固定部材３０を面内方向に位置決めして、扉を上下方向及び面外方向に移動して建具枠１に装着することで、その可動部材２０と固定部材３０が連結するので、扉を建具枠１に装着した状態で可動部材２０と固定部材３０を連結する作業が不要で、組立作業が著しく良い。
【００３３】
前記フレーム４０は下フレーム４１と上フレーム４２をスペーサ４３を介してねじ４４で連結し、その下フレーム４１と上フレーム４２との間に幅方向両側に開口した凹条溝４５を長手方向に連続して有し、その凹条溝４５を前述のガイド部４０ａとしてある。
前記下フレーム４１と上フレーム４２との間にプーリ１１が縦軸４６で回転自在に取付けてある。
前記可動部材２０は、前記凹条溝４５に摺動自在に嵌まり合い、かつ無端状索条１０に連結した摺動子２１と、この摺動子２１に設けたピン２２を備え、そのピン２２がフレーム４０よりも幅方向に突出している。
前記フレーム４０の上部に吊戸車４ａが取付けてある。
なお、戸先側扉４１には無端状索条１０が設けていないが、吊戸車４ａを取付けるためにフレーム４０が取付けてある。
【００３４】
前記受部材３０は、可動部材２０（ピン２２）に面内方向に相対的に動かないように連結される連結位置と、可動部材２０（ピン２２）が面内方向に相対的に移動可能な連結解除位置とに移動可能としてある。
このようであるから、扉４を建具枠１に装着する際は、受部材３０を連結解除位置とすることで、可動部材２０と受部材３０を連結することなしに扉４を建具枠１に装着することができるので、その扉４の建具枠１への装着作業がやり易い。
そして、扉４を建具枠１に装着した後に、無端状索条１０を回転して可動部材２０と受部材３０を位置合わせし、可動部材２０を連結位置として可動部材２０と受部材３０を連結する。
【００３５】
前記受部材３０は扉４、固定部に対して上下方向に移動自在で、下方位置の時には前述の連結位置で、上方位置の時には前述の連結解除位置となるようにすると共に、上方位置でロックでき、かつそのロックを解除することで下方位置に移動するようにすることが好ましい。
このようにすれば、扉を装着する際には受け部材３０を上方位置でロックし、扉４を装着して後にロックを解除すれば受部材３０が下方位置に移動して可動部材２０と連結するので、その操作が容易である。
【００３６】
前記受部材３０の一例を詳細に説明する。
図６と図７に示すように、前記扉４、固定部（建具枠１）に取付ける取付部３１と、この取付部３１に上下動自在に取付けた連結部３２と、この連結部３２を上方位置と下方位置でロックするロック部３３で受部材３０とする。
前記連結部３２が下方位置の時には図７に実線で示すように可動部材２０（ピン２２）と連結し、連結位置である。
前記連結部３２が上方位置の時には図７に仮想線で示すように可動部材２０（ピン２２）よりも上方で前述の連結解除位置である。
前記連結部３２を上方位置でロック部３３でロックして保持している状態で、そのロック部３３のロックを解除すると連結部３２は下方位置まで移動するようにしてある。この実施の形態では連結部３２は自重で下方位置まで移動するが、ばね等を利用しても良い。
【００３７】
前記取付部３１は図９、図１０に示すように、一対の側面板３１ａ，３１ａと前面板３１ｂで後面側が開口した平面コ字形状で、その各側面板３１ａは取付片３１ｃを備えている。
前記各側面板３１ａには上下方向の長孔３１ｄと孔３１ｅが相対向して形成されている。長孔３１ｄが上で、孔３１ｅが下である。
前記前面板３１ｂには緩衝材３４が取付けてある。
前記連結部３２は、一対の側面板３２ａ，３２ａと後面板３２ｂで前面側が開口した平面コ字形状で、その一対の側面板３２ａ，３２ａにおける下部寄りには上ねじ孔３２ｃと下ねじ孔３２ｄが相対向して形成してあり、かつ上下中間部には切欠部３２ｅが形成され、その切欠部３２ｅよりも上方寄り部分が連結部分３２ｆである。
この連結部分３２ｆは面内方向に離隔した一対の縦面３５を有し、この一対の縦面３５間に前記ピン２２が嵌合して連結される。
この一対の縦面３５には緩衝材３６が設けてあり、ピン２２と縦面３５が接触して金属音が発生しないようにしてある。
【００３８】
前記連結部３２は取付部３１の一対の側面板３１ａ間に挿入され、長孔３１ｄより上ねじ３７を上ねじ孔３２ｃに螺合すると共に、孔３１ｅから下ねじ３８を下ねじ孔３２ｄに螺合することで連結部３２は取付部３１に固着される。
前記取付部３１は、その取付片３１ｃを扉４、固定部（建具枠１）にねじ３９で固着して取付けられる。
【００３９】
このようであるから、扉４を建具枠１に装着する際には、下ねじ３８を取り外し、上ねじ３７を長孔３１ｄの上方位置として連結部３２を上方位置とし、扉４を建具枠１に装着した状態で、その連結部分３２ｆがピン２２よりも上方の位置となるようにする。
そして、扉４を建具枠１に装着した後に、上ねじ３７を弛めて連結部３２を下方に移動し、上ねじ３７を締め付けると共に、下ねじ３８を下ねじ孔３２ｄに螺合して連結部３２を取付部３１に固定する。
【００４０】
前記連結手段は前述のものに限ることはない。
例えば、可動部材２０のピン２２を一対の縦面を有した前述の連結部分３２ｆと同様な形状とし、受部材３０の連結部分３２ｆを前述のピン２２と同様なピン形状とする。
また、受部材３０を下方の連結解除位置と上方の連結位置とに亘って移動するようにする。例えば、前述の連結部３２を下方に移動するとピン２２よりも下方となり、上方に移動するとピン２２と連結するようにする。
また、受部材３０を面外方向に移動可能とし、面外方向一側に移動するとピン２２と連結する連結位置、面外方向他方に異動するピン２２と離れた連結解除位置となるようにする。
また、可動部材２０と受部材３０をボルト、連結ピンなどで固着して面内方向に相対的に動かないように連結しても良い。
【００４１】
前述の実施の形態では戸尻側扉４４に設けた無端状索条１０を建具枠１に連結したが、固定側扉を設け、その固定側扉に連結しても良い。
例えば、図１１に示すように、戸尻側扉４４よりも面外方向他側に固定側扉４５を面内方向に移動自在に装着し、この固定側扉４５を開き位置で移動できないようにロック、ロック解除する第１のロック部材５０を設ける。
この固定側扉４５に戸尻側扉４４に設けた無端状索条１０を第６連結手段１７で連結する。
前記戸先側扉４１を閉じ位置で移動できないようにロック、ロック解除する第２のロック部材５１を設ける。
【００４２】
前述のように構成すれば次のように扉を開閉移動できる。
前記第１のロック部材５０で固定側扉４５を開き位置でロックすると共に、第２のロック部材５１をロック解除することで、前述した図４に示すと同様になる。この状態で戸先側扉４１を開閉移動することで前述のように第１・第２中間扉４２，４３、戸尻側扉４４を開閉移動できる。
【００４３】
また、前記第２のロック部材５１で戸先側扉４１を閉じ位置でロックすると共に、第１ロック部材５０をロック解除する。この状態で、固定側扉４５を開閉移動することで戸尻側扉４４、第２・第１中間扉４４，４３，４２を前述と同様に移動できる。
【００４４】
したがって、面方向一方側が開放する建具としたり、面方向他方側が開放する建具とすることができる。
【００４５】
前述の第１・第２のロック部材５０，５１は、カマ錠、フランス落しなど従来から用いている錠を用いることができる。
【図面の簡単な説明】
【００４６】
【図１】本発明の建具の全体概略正面図である。
【図２】図１のＡ−Ａ断面図である。
【図３】図１のＢ−Ｂ断面図である。
【図４】連動装置の概略平面図である。
【図５】扉の開閉動作説明図である。
【図６】連動装置の詳細平面図である。
【図７】連動装置の詳細拡大縦断面図である。
【図８】フレームの一部破断正面図である。
【図９】受部材の縦断面図である。
【図１０】受部材の分解斜視図である。
【図１１】本発明の第２の実施の形態を示す平面図である。
【符号の説明】
【００４７】
１…建具枠、２…上レール、３…下レール、４…扉（開閉体）、４１…戸先側扉、４２…第１中間扉、４３…第２中間扉、４４…戸尻側扉、１０…無端状索条、１１…プーリ、１２…第１連結手段、１３…第２連結手段、１４…第３連結手段、１５…第４連結手段、１６…第５連結手段、１７…第６連結手段、２０…可動部材、３０…受部材。
【図１】
0005035851.tif 000002
【図２】
0005035851.tif 000003
【図３】
0005035851.tif 000004
【図４】
0005035851.tif 000005
【図５】
0005035851.tif 000006
【図６】
0005035851.tif 000007
【図７】
0005035851.tif 000008
【図８】
0005035851.tif 000009
【図９】
0005035851.tif 000010
【図１０】
0005035851.tif 000011
【図１１】
0005035851.tif 000012